(57)【要約】【課題】記録ヘッドの吐出状態の回復に用いられるインクの消費量を抑制でき、しかも画質の低下を抑制できるラインヘッド方式のインクジェット記録装置を提供する。【解決手段】制御部１３１は、単色記録時には、ローラ移動機構６１を制御して、搬送面４７の一部を記録ヘッド２２Ｋのノズル面２２ａに近接した近接位置に配置するとともに、搬送面４７の他の一部を記録ヘッド２２Ｋ以外の他の記録ヘッド２２Ｃ、２２Ｍ、２２Ｙのノズル面２２ａに対して前記近接位置よりも離隔した離隔位置に配置し、キャップ移動機構９１を制御して、キャップ部材８３を前記他の記録ヘッドの各ノズル面２２ａに対向配置して各ノズル面２２ａを覆う。【選択図】図６
2011136468.tif 000002
【特許請求の範囲】
【請求項１】
ラインヘッド方式のインクジェット記録装置であって、
複数のローラと、
前記複数のローラに架け渡され、記録媒体が載置される搬送面を有し、前記ローラの回転によって前記記録媒体を搬送方向に搬送可能な搬送ベルトと、
前記搬送ベルトの前記搬送面に対向するノズル面を有し、前記搬送方向に沿って配列された複数の記録ヘッドと、
前記複数のローラの少なくとも一つを移動させることで、前記搬送面を前記ノズル面に対して離接する方向に移動可能なローラ移動手段と、
各記録ヘッドの前記ノズル面にそれぞれ対向配置して各ノズル面をそれぞれ覆う複数のキャップ部材と、
前記ノズル面に対して離接する方向に各キャップ部材を移動可能なキャップ移動手段と、
前記ローラ移動手段及び前記キャップ移動手段を制御する制御手段と、を備え、
前記制御手段は、
前記複数の記録ヘッドを、使用する記録ヘッドと使用しない記録ヘッドとに区別し、
前記搬送面を、前記使用する記録ヘッドの前記ノズル面に対して近接した近接位置に配置するとともに、前記使用しない記録ヘッドの前記ノズル面に対しては前記近接位置よりも離隔した離隔位置に配置するように前記ローラ移動手段を制御し、
前記離隔位置に配置された前記使用しない記録ヘッドの前記ノズル面を前記キャップ部材で覆うように前記キャップ移動手段を制御する、インクジェット記録装置。
【請求項２】
前記使用する記録ヘッドが、前記複数の記録ヘッドのうちの一つである、請求項１に記載のインクジェット記録装置。
【請求項３】
前記複数のローラは、前記搬送ベルトのテンションを調整可能なテンションローラを含む、請求項１又は２に記載のインクジェット記録装置。
【請求項４】
前記搬送ベルトよりも前記搬送方向の下流側に前記搬送ベルトに隣接して配置され、前記搬送ベルトにより搬送される前記記録媒体を前記搬送ベルトから受け取る受取機構と、
前記受取機構を移動させる受取機構移動手段と、をさらに備え、
前記制御手段は、前記搬送ベルトの前記搬送面の移動に合わせて前記受取機構の位置を調整するように前記受取機構移動手段を制御する、請求項１〜３のいずれかに記載のインクジェット記録装置。
【発明の詳細な説明】
【技術分野】
【０００１】
本発明は、記録ヘッドのノズルからインクを吐出して、用紙などの記録媒体上に記録を行うインクジェット記録装置に関する。
【背景技術】
【０００２】
従来から、複数の記録ヘッドを備え、カラー記録が可能なラインヘッド方式のインクジェット記録装置が知られている。このインクジェット記録装置の各記録ヘッドは、用紙の幅方向の全域にわたってインクを吐出可能な複数のノズルが形成されたノズル面を有している。
【０００３】
このインクジェット記録装置において、例えばブラックのみの単色記録の際には他の色の記録ヘッドは使用されないが、これらの不使用の記録ヘッドは、前記単色記録中であってもノズル面が開放されているのでノズルが乾燥しやすい状況にある。ノズルにあるインクが乾燥して増粘するとその後の記録品質に影響が出るので、増粘したインクをノズルから排出するために多量のインクをノズルから強制的に吐出して吐出状態を回復する動作が実行される。このような回復動作では、不使用の記録ヘッドのインクを多量に消費するという問題がある。
【０００４】
特許文献１には、各色の記録ヘッドが複数に分割された分割ヘッドにより構成され、用紙のサイズに応じて分割ヘッドのうち必要なもののみが印字位置に留まり、不必要なものはキャッピング位置に後退してノズル面がキャップされるインクジェット記録装置が提案されている。
【０００５】
また、特許文献２には、キャリッジ方式の記録ヘッドを備え、記録に使用しない記録ヘッドを退避位置に退避させるインクジェット記録装置が提案されている。
【先行技術文献】
【特許文献】
【０００６】
【特許文献１】特開平７−３１４７０１号公報
【特許文献２】特開平４−２７５１５５号公報
【発明の概要】
【発明が解決しようとする課題】
【０００７】
しかしながら、特許文献１及び特許文献２に記載の記録装置では、高い位置精度が要求される記録ヘッドを移動させる構造であるので、画質の低下が生じることがある。また、特許文献２に記載のキャリッジ方式の記録装置では、記録ヘッドを移動させるための構造が複雑になりやすい。
【０００８】
そこで、本発明は、かかる点に鑑みてなされたものであり、その目的とするところは、記録ヘッドの吐出状態の回復に用いられるインクの消費量を抑制でき、しかも画質の低下を抑制できるラインヘッド方式のインクジェット記録装置を提供することにある。
【課題を解決するための手段】
【０００９】
本発明は、ラインヘッド方式のインクジェット記録装置に関するものである。この記録装置は、複数のローラと、前記複数のローラに架け渡され、記録媒体が載置される搬送面を有し、前記ローラの回転によって前記記録媒体を搬送方向に搬送可能な搬送ベルトと、前記搬送ベルトの前記搬送面に対向するノズル面を有し、前記搬送方向に沿って配列された複数の記録ヘッドと、前記複数のローラの少なくとも一つを移動させることで、前記搬送面を前記ノズル面に対して離接する方向に移動可能なローラ移動手段と、各記録ヘッドの前記ノズル面にそれぞれ対向配置して各ノズル面をそれぞれ覆う複数のキャップ部材と、前記ノズル面に対して離接する方向に各キャップ部材を移動可能なキャップ移動手段と、前記ローラ移動手段及び前記キャップ移動手段を制御する制御手段と、を備えている。
【００１０】
前記制御手段は、前記複数の記録ヘッドを、使用する記録ヘッドと使用しない記録ヘッドとに区別する。そして、前記制御手段は、前記搬送面を、前記使用する記録ヘッドの前記ノズル面に対して近接した近接位置に配置するとともに、前記使用しない記録ヘッドの前記ノズル面に対しては前記近接位置よりも離隔した離隔位置に配置するように前記ローラ移動手段を制御し、前記離隔位置に配置された前記使用しない記録ヘッドの前記ノズル面を前記キャップ部材で覆うように前記キャップ移動手段を制御する。
【００１１】
この構成では、前記使用しない記録ヘッドのノズル面に対して、搬送面が前記離隔位置に配置される。これにより、前記使用しない記録ヘッドのノズル面と搬送面との間にスペースが形成されるので、このスペースに前記キャップ部材を移動させて各ノズル面を覆うことができる。したがって、画像形成時に使用しない記録ヘッドが存在する場合であっても、前記使用しない記録ヘッドのノズル面が乾燥するのを抑制できるので、これらの記録ヘッドにおける吐出状態の回復動作を実行する頻度を低減してインクの消費量を抑制することができる。しかも、この構成では、前記搬送ベルトを支持するローラを移動させて前記搬送ベルトの前記搬送面をノズル面に対して移動させているので、高い位置精度が要求される記録ヘッドを移動させる必要がない。これにより、従来のように記録ヘッドを移動させることに伴う画質の低下が生じるのを抑制することができる。
【００１２】
具体的には、例えば前記使用する記録ヘッドが、前記複数の記録ヘッドのうちの一つである場合が挙げられる。この場合のような単色記録時には、使用しない他の記録ヘッドのノズル面は、キャップ部材に覆われて乾燥が抑制される。
【００１３】
また、前記複数のローラは、前記搬送ベルトのテンションを調整可能なテンションローラを含んでいるのが好ましい。
【００１４】
この構成では、前記移動ローラの移動に伴って搬送ベルトのテンションが変化する場合であっても、このテンションを前記テンションローラによって調整可能である。
【００１５】
また、本発明の記録装置は、前記搬送ベルトよりも前記搬送方向の下流側に前記搬送ベルトに隣接して配置され、前記搬送ベルトにより搬送される前記記録媒体を前記搬送ベルトから受け取る受取機構と、前記受取機構を移動させる受取機構移動手段と、をさらに備え、前記制御手段は、前記搬送ベルトの前記搬送面の移動に合わせて前記受取機構の位置を調整するように前記受取機構移動手段を制御するのが好ましい。
【００１６】
この構成では、搬送ベルトの搬送面の移動に合わせて受取機構の位置調整がされるので、使用する記録ヘッドと使用しない記録ヘッドの組合せが変わっても、記録媒体を搬送ベルトから受取機構へ円滑に受け渡すことができる。
【発明の効果】
【００１７】
以上説明したように、本発明によれば、記録ヘッドの吐出状態の回復に用いられるインクの消費量を抑制することができ、しかも画質の低下を抑制することができる。
【図面の簡単な説明】
【００１８】
【図１】本発明の第１実施形態にかかるインクジェット記録装置の概略を示す構成図である。
【図２】第１実施形態のインクジェット記録装置の搬送ベルト、記録ヘッド、及びキャップ移動機構を示す平面図である。
【図３】前記キャップ駆動機構を示す斜視図である。
【図４】（ａ）〜（ｃ）は、前記キャップ駆動機構の動作を示す斜視図である。
【図５】第１実施形態のインクジェット記録装置の移動ローラを移動させるローラ移動機構を示す斜視図である。
【図６】第１実施形態のインクジェット記録装置において、単色記録時の状態を示す構成図である。
【図７】第１実施形態のインクジェット記録装置において、ヘッドキャップモード（未使用時）の状態を示す構成図である。
【図８】（ａ）は、前記キャップ移動機構の変形例を示す平面図であり、（ｂ）は、前記キャップユニットの側面図である。
【図９】（ａ）は、本発明の第２実施形態にかかるインクジェット記録装置における搬送ユニット３０、記録ヘッド２２及びキャップ部材８３の概略を示す構成図であり、（ｂ）は、このインクジェット記録装置の単色記録時の状態を示す構成図である。
【発明を実施するための形態】
【００１９】
以下、本発明の一実施形態にかかるインクジェット記録装置について図面を参照しながら詳細に説明する。
【００２０】
＜第１実施形態＞
図１に示すインクジェット記録装置１は、外部のコンピュータから受信した画像情報に基づいて記録媒体の一例である用紙Ｐに画像を形成可能なラインヘッド方式のインクジェットプリンタである。この記録装置１は、ケーシング２内に、記録部２０、用紙収納部１０１、用紙搬送路５、搬送ユニット３０、排出部１０３、昇降機構４０、キャップユニット５０（図３）及びこれらを制御する制御部１３１を備えている。なお、以下の説明において、用紙Ｐが搬送ユニット３０上を搬送されるときの搬送方向を方向Ｄ１とし、これに垂直な方向（用紙Ｐの幅方向）を方向Ｄ２とする。
【００２１】
記録部２０は、図１及び図２に示すように、方向Ｄ１の上流側から順にブラック、シアン、マゼンダ及びイエローの各色に対応した４つの記録ヘッド２２（２２Ｋ、２２Ｃ、２２Ｍ、２２Ｙ）と、これらを支持する図略の支持枠体とを備えている。各色の記録ヘッド２２に対応して、図略の４台のインクタンクが備えられている。各色のインクは、このインクタンクから各記録ヘッド２２に補給される。なお、以下の説明において、特に限定する必要がある場合を除き、「Ｋ」「Ｃ」「Ｍ」「Ｙ」の識別記号は省略する。
【００２２】
４つの記録ヘッド２２は、後述する搬送ユニット３０の搬送ベルト３１の上方に並べて配置されている。各記録ヘッド２２は、その下面に前記ノズル面２２ａを有している。ノズル面２２ａには、インクを吐出する複数のノズルが設けられている。ノズル面２２ａは、方向Ｄ２に長い矩形状に形成されている。各記録ヘッド２２は、ノズル面２２ａから用紙Ｐの紙面に略垂直な方向にインクを吐出して画像を形成する。
【００２３】
記録ヘッド２２のインクの吐出方式としては、例えばピエゾ素子を用いてインクを押し出すピエゾ方式や、発熱体によって気泡を発生させ、圧力をかけてインクを吐出するサーマルインクジェット方式など、各種方式を適用することができる。
【００２４】
用紙収納部１０１は、用紙Ｐを収納可能であり、記録部２０の下部に配置されている。用紙収納部１０１は、用紙が収納される給紙カセット３と、用紙搬送路５に用紙を供給するための用紙供給ローラ４とを有している。
【００２５】
用紙搬送路５は、この用紙搬送路５の上流側に配置されたローラ１０２と用紙を一旦停止させて斜め補正等を行った後、用紙を搬送ユニット３０へ送り出すレジストローラ６とを有している。
【００２６】
搬送ユニット３０は、記録部２０の下方に配置されている。この搬送ユニット３０は、用紙Ｐを記録部２０に供給し、この記録部２０により表面に画像が形成された用紙Ｐを排出部１０３に搬送する。搬送ユニット３０は、フレーム３６、ローラ群（ローラ７１〜７７）、搬送ベルト３１、及び図略の用紙保持機構を有している。
【００２７】
搬送ベルト３１は、無端ベルトになっており、ローラ７１〜７７に架け渡されている。搬送ベルト３１の上面、すなわちローラ７２とローラ７３の間に位置する部分の上面は、用紙Ｐを搬送して記録部２０を通過させる搬送面４７として機能する。この搬送面４７は、複数の記録ヘッド２２のノズル面２２ａに対向している。
【００２８】
前記ローラ群の各ローラ７１〜７７は、所定の間隔を隔ててフレーム３６に回転自在に支持されている。本実施形態では、ローラ７１、ローラ７２、ローラ７４、ローラ７６、及びローラ７７は、フレーム３６に回転自在に固定された固定ローラである。これらのローラのうち、例えばローラ７１は、図略のモータに連結されて駆動ローラとして機能する。
【００２９】
ローラ７２（上流側ローラ）は、方向Ｄ１の最上流に配置された記録ヘッド２２Ｋ（第１記録ヘッド）よりも上流側において搬送ベルト３１を支持している。ローラ７７（下流側ローラ）は、記録ヘッド２２Ｋと記録ヘッド２２Ｃ（第２記録ヘッド）との間において搬送ベルト３１を支持している。
【００３０】
ローラ７３は、ローラ移動手段としてのローラ移動機構６１（図５）によって上下方向に移動可能な移動ローラとして機能し、ローラ７５は、ローラ７３の移動に伴って変化する搬送ベルト３１のテンションを調整可能なテンションローラとして機能する。
【００３１】
図５に示すように、ローラ移動機構６１は、ローラ７３の軸７３ａの両端部を支持する軸受け６２と、この軸受け６２の下面に当接するカム６３と、このカム６３を支持する軸６４と、この軸６４に連結された図略のモータとを含む。軸受け６２は例えばケーシング２に支持されている。モータが駆動すると、カム６３が軸６４を中心に回転してローラ７３が上下方向に移動する。このローラ移動機構６１は、制御部１３１に制御される。
【００３２】
前記用紙保持機構は、搬送ベルト３１の搬送面４７の下方において搬送面４７に沿って記録部２０に対向する位置に配置されている。この用紙保持機構は、そのケースの上面に多数の空気吸引用の孔（図示せず）を有し、これらの孔を通じて外部の空気をケースの内部に吸引することができる。また、搬送ベルト３１にも、多数の空気吸引用の孔（図示せず）が設けられている。したがって、用紙保持機構により空気が吸引されると、用紙Ｐが搬送ベルト３１の上面に吸着されるので、用紙Ｐを安定して搬送することができる。
【００３３】
昇降機構４０は、搬送ユニット３０の下方に配置された一対の偏心カム４１，４２を有している。偏心カム４１，４２は、軸部４１ｂ，４２ｂが図略の支持部材にそれぞれ支持されており、これらの軸部４１ｂ，４２ｂを中心に図略の駆動モータによってそれぞれ回動する。偏心カム４１，４２は、複数のベアリング４１ａ，４２ａをそれぞれ有しており、これらのベアリング４１ａ，４２ａが搬送ユニット３０のフレーム３６に当接した状態で搬送ユニット３０を支持している。搬送ユニット３０は、偏心カム４１，４２が軸部４１ｂ，４２ｂを中心に回動することにより上下方向に移動する。
【００３４】
図１は、偏心カム４１，４２がほぼ鉛直方向に起立して搬送ユニット３０が持ち上げられた状態を示している。この状態から偏心カム４１，４２が互いに内側に向いて回転すると、図７に示すように搬送ユニット３０が下降する。
【００３５】
記録部２０により用紙Ｐに画像が形成される画像形成モードにおいては、搬送ユニット３０は、昇降機構４０により持ち上げられて、図１に示すように記録ヘッド２２のノズル面２２ａに近接した位置に配置される。この位置は、ノズル面２２ａと用紙Ｐとの間が印刷に適した間隔となるように調整されている。
【００３６】
一方、後述するヘッドキャップモードにおいては、搬送ユニット３０は、昇降機構４０により下降して、図７に示すように記録ヘッド２２と離隔した位置に移動する。なお、搬送ユニット３０の高さは、偏心カム４１，４２の回転角度を調節することによって適宜調節することができる。
【００３７】
図２及び図３に示すように、キャップユニット５０は、各記録ヘッド２２のノズル面２２ａを覆う４つのキャップ部材８３（８３Ｋ、８３Ｃ、８３Ｍ、８３Ｙ）と、各キャップ部材８３を移動させるキャップ移動手段としての４つのキャップ移動機構９１とを有している。
【００３８】
各キャップ部材８３は、対応する記録ヘッド２２のノズル面２２ａを密閉可能な形状を有している。各キャップ部材８３は、方向Ｄ２に長い矩形状の上面を有し、この上面の周縁に沿って合成ゴムなどからなる弾性部材８３ａが配設されている（図３）。このようにノズル面２２ａとキャップ部材８３との間に弾性部材８３ａが介在していることにより、各キャップ部材８３を記録ヘッド２２のノズル面２２ａに対向配置してノズル面２２ａを覆ったときの密閉性を高めることができる。
【００３９】
各キャップ駆動機構９１は、各キャップ部材８３を支持する支持部材９４と、この支持部材９４とともにキャップ部材８３を方向Ｄ１又はその反対方向に移動させるための横移動機構と、支持部材９４とともにキャップ部材８３を上下方向に移動させるための縦移動機構とを含む。各キャップ移動機構９１は、各キャップ部材８３を他のキャップ部材８３とは独立して移動させることができる。
【００４０】
各支持部材９４は、対応するキャップ部材８３の下方に配置されてその長手方向に沿って延びる矩形状の板状部９４ａと、この板状部９４ａの方向Ｄ２の両端部から上方にそれぞれ立設された一対の立設部９４ｂ，９４ｂとを有している。各キャップ部材８３は板状部９４ａ上に載置されている。
【００４１】
図３に示すように、各縦移動機構は、一対の立設部９４ｂ，９４ｂにそれぞれ取り付けられたワイヤー９８と、各ワイヤー９８を巻き取り又は送り出すモータ９５と、このモータ９５の回転軸９５ａに取り付けられ、ワイヤー９８を巻回する巻き取り部９６と、支持部材９４の吊り下げ位置を決める滑車９７とを含む。なお、図３では、２本のワイヤー９８のうちの一方のみを図示し、他方のワイヤー９８の図示は省略している。各支持部材９４は、２本のワイヤー９８に吊り下げられた状態で支持されている。
【００４２】
図２及び図３に示すように、各横移動機構は、一対の立設部９４ｂの外側面にそれぞれ取り付けられたピニオン９３，９３と、これらのピニオン９３がそれぞれ歯合するラック９２，９２とを含む。各ラック９２は、平板状の棒に歯切りされた部材である。各ラック９２は、ケーシング２に支持された前後側板８１，８１にそれぞれ固定されている。各ピニオン９３は、ラック９２の歯にかみ合う小口径の円形の歯車である。各ピニオン９３は、図略のモータの駆動に伴って回転してラック９２に歯合しながら水平方向に移動可能である。このピニオン９３の水平方向への移動時には、モータ９５などの前記縦移動機構は図略のガイドレールに沿ってピニオン９３と同じ方向へ移動する。
【００４３】
図１に示す画像形成モードにおいては、各キャップ部材８３は、画像形成の邪魔にならないように、対応する記録ヘッド２２の横の位置、すなわち方向Ｄ１の反対方向側の退避位置に退避している（図３に示す位置）。また、図７に示すキャップモードにおいては、各キャップ部材８３は、対応する記録ヘッド２２のノズル面２２ａを下方から覆う位置に配置される（後述する図４（ｃ）に示す位置）。
【００４４】
排出部１０３は、受取機構７、排出ローラ８、排出口９、及び排出トレイ１０を備えている。受取機構７は、搬送ベルト３１よりも方向Ｄ１の下流側に搬送ベルト３１に隣接して配置されている。この受取機構７は、搬送ベルト３１により搬送される用紙Ｐを搬送ベルト３１から受け取って搬出ローラ８に導く。この搬出ローラ８に導かれた用紙Ｐは、排出口９に送られ、ケーシング２の側面から外部に延設された排出トレイ１０に排出される。
【００４５】
受取機構７は、その下面に配置されたカム７ａとこのカム７ａを回転させる図略のモータとを含む受取機構移動手段によって上下方向に移動可能である。この受取機構移動手段は、制御部１３１により制御される。
【００４６】
制御部１３１は、中央処理装置（ＣＰＵ）、プログラムなどのデータが記憶されているメモリ（ＲＯＭ）、プログラム実行時にデータを一時的に記憶するためのメモリ（ＲＡＭ）などで構成されている。この制御部１３１は、ローラ移動機構６１、昇降機構４０、キャップ移動機構９１、前記受取機構移動手段などの動作を制御する。
【００４７】
以下、記録装置１の画像形成モード及びキャップモードの動作について説明する。
【００４８】
まず、記録装置１の画像形成モードのカラー記録時の動作について説明する。このカラー記録時には、４つの記録ヘッド２２が使用される。
【００４９】
このカラー記録時には、外部に接続されたコンピュータからカラーの画像を形成するための命令が出されると、制御部１３１は、ローラ移動機構６１を制御して、搬送ベルト３１の搬送面４７を各ノズル面２２ａに近接した近接位置に配置する（図１の配置）。このカラー記録時には、各キャップ部材８３は、対応する記録ヘッド２２に隣接する退避位置に退避している。
【００５０】
具体的には、制御部１３１は、ローラ移動機構６１の前記モータを駆動してカム６３を回転させることによりカム６３を鉛直方向に起立した状態に立てる。これにより、ローラ７３が上方に持ち上げられる。この持ち上げられた位置は、搬送ベルト３１の搬送面４７が各ノズル面２２ａに対して近接位置に配置されるように調整されている。
【００５１】
ついで、用紙収納部１０１から搬送ユニット３０へと用紙Ｐが送り出される。そして、用紙Ｐが、搬送ユニット３０の搬送ベルト３１で搬送されているときに、記録ヘッド２２からインクが吐出され、用紙Ｐ上に画像が形成される。そして、画像が形成された用紙Ｐは、排出部１０３のローラ８によって搬送され、排出口９から排出トレイ１０に排出される。
【００５２】
画像形成動作が終了した後に、所定時間の間、画像形成命令が出されなかった場合や、電源スイッチ（図示しない）がオフにされた場合等には、記録装置１は、例えば、画像を形成可能な状態から後述するヘッドキャップモードに移行する。
【００５３】
次に、画像形成モードの単色記録時の動作について説明する。本実施形態では、ブラックの記録ヘッド２２Ｋのみを使用して単色記録を行う場合を例に挙げて説明する。
【００５４】
記録ヘッド２２Ｋを用いた単色記録時には、外部に接続されたコンピュータから単色の画像を形成するための命令が出されると、制御部１３１は、使用する記録ヘッド２２と使用しない記録ヘッド２２とを区別する。この実施形態の場合、白黒の単色記録であるので、制御部１３１は、使用する記録ヘッド２２としてブラックの記録ヘッド２２Ｋを選び、使用しない記録ヘッド２２としてシアン、マゼンダ及びイエローの記録ヘッド２２Ｃ、２２Ｍ、２２Ｙを選ぶ。このような記録ヘッドの区別、すなわち使用する記録ヘッドと使用しない記録ヘッドの組合せについては、予めメモリに記憶されていてもよい。
【００５５】
ついで、制御部１３１は、ローラ移動機構６１を制御して、搬送面４７の一部を記録ヘッド２２Ｋのノズル面２２ａに近接した近接位置に配置するとともに、搬送面４７の他の一部を記録ヘッド２２Ｋ以外の他の記録ヘッド２２Ｃ、２２Ｍ、２２Ｙの各ノズル面２２ａに対して前記近接位置よりも離隔した離隔位置に配置する。
【００５６】
具体的には、制御部１３１は、ローラ移動機構６１の前記モータを駆動してカム６３を回転させることによりカム６３を水平方向にねかした状態にする。これにより、ローラ７３が下方に移動するのに伴って搬送ベルト３１の下流側の部分（ローラ７７とローラ７３との間の部分）が降下する。この降下した位置は、搬送面４７と記録ヘッド２２Ｃ、２２Ｍ、２２Ｙの各ノズル面２２ａとの間に、各キャップ部材８３が配置可能な程度のスペースが形成されるように調整されている。
【００５７】
一方、ローラ７２とローラ７７は位置が固定されているので、これらのローラ７２，７７の間に支持されている搬送ベルト３１の搬送面４７は、記録ヘッド２２Ｋのノズル面２２ａに対して前記近接位置に配置されている。
【００５８】
ついで、制御部１３１は、キャップ移動機構９１を制御して、３つの記録ヘッド２２Ｃ、２２Ｍ、２２Ｙに対応するキャップ部材８３Ｃ、８３Ｍ、８３Ｙを上下方向及び水平方向に移動させて、記録ヘッド２２Ｃ、２２Ｍ、２２Ｙの各ノズル面２２ａに対向配置して各ノズル面を覆う（図６）。このとき、記録ヘッド２２Ｋに対応するキャップ部材８３Ｋは、記録ヘッド２２Ｋに隣接する退避位置に退避したままの状態である。
【００５９】
キャップ部材８３Ｃ、８３Ｍ、８３Ｙの動作を詳細に説明すると次のようになる。各キャップ部材８３（８３Ｃ、８３Ｍ、８３Ｙ）は、前記縦移動機構によって図３に示す退避位置から図４（ａ）に示す位置に向かって下方に移動する。すなわち、モータ９５が駆動してワイヤー９８が送り出されることによって支持部材９４とともにキャップ部材８３が下方に移動する。ピニオン９３がラック９２に歯合した時点でモータ９５の駆動が停止して図４（ａ）に示す位置にキャップ部材８３が配置される。
【００６０】
ついで、ピニオン９３を回転させるための図略の前記モータが駆動すると、ピニオン９３が回転してラック９２に歯合しながら方向Ｄ１に移動する。これにより、支持部材９４とともにキャップ部材８３が方向Ｄ１に移動する。このとき、図４（ｂ）に示すようにモータ９５などの前記縦移動機構も図略の前記ガイドレールに沿って方向Ｄ１に移動する。キャップ部材８３が記録ヘッド２２の下方に到達すると図略のモータが停止し、キャップ部材８３がノズル面２２ａに対向配置される（図４（ｂ））。
【００６１】
ついで、モータ９５が駆動してワイヤー９８が巻き取られることによって支持部材９４とともにキャップ部材８３が上方に移動する。キャップ部材８３の上面がノズル面２２ａに接した時点でモータ９５の駆動が停止して図４（ｃ）に示す位置にキャップ部材８３が配置される。これにより、キャップ部材８３Ｃ、８３Ｍ、８３Ｙによる各ノズル面２２ａのキャップ動作が完了する。
【００６２】
次に、用紙収納部１０１から搬送ユニット３０へと用紙Ｐが送り出される。そして、用紙Ｐが、搬送ユニット３０の搬送ベルト３１で搬送されているときに、記録ヘッド２２Ｋからインクが吐出され、用紙Ｐ上に単色の画像が形成される。そして、画像が形成された用紙Ｐは、排出部１０３のローラ８によって搬送され、排出口９から排出トレイ１０に排出される。
【００６３】
単色の画像形成動作が終了した後には、所定時間の間、画像形成命令が出されなかった場合や、電源スイッチ（図示しない）がオフにされた場合等には、記録装置１は、例えば、画像を形成可能な状態から後述するヘッドキャップモードに移行する。
【００６４】
次に、ヘッドキャップモードの動作について説明する。
【００６５】
まず、図１に示す画像形成モードの状態から、偏心カム４１，４２の先端が下方に下がる方向に偏心カム４１，４２を回転させて搬送ユニット３０を下降させる。搬送ベルト３１と記録ヘッド２２のノズル面２２ａとの間にキャップ部材８３が移動可能な程度に搬送ユニット３０が下方に移動したあたりで偏心カム４１，４２の回転を停止する。
【００６６】
ついで、キャップユニット５０のキャップ移動機構９１の前記横移動機構における図略のモータを駆動して各ピニオン９３を回転させ、各キャップ部材８３を方向Ｄ１にスライド移動させる。各キャップ部材８３が対応する記録ヘッド２２の下方の所定位置に到達した時点でモータの駆動を停止する。
【００６７】
ついで、各縦移動機構のモータ９５が駆動してワイヤー９８が巻き取られることによって支持部材９４とともに各キャップ部材８３が上方に移動する。各キャップ部材８３の上面が対応する記録ヘッド２２のノズル面２２ａに接した時点でモータ９５の駆動が停止する。これにより、各記録ヘッド２２のノズル面２２ａは、キャップ部材８３により密閉される（図７）。
【００６８】
なお、キャップ移動機構９１は、次のような構成であってもよい。図８（ａ）は、キャップ移動機構９１の変形例を示す平面図であり、図８（ｂ）は、その側面図である。
【００６９】
この変形例における各キャップ移動機構９１は、各キャップ部材８３を他のキャップ部材８３とは独立して移動させることができる。図８（ａ），（ｂ）に示すように、各キャップ移動機構９１は、Ｌ字状の長孔１９５が形成された枠体１８１、平板状の棒に歯切りされたラック１９２、このラック１９２の歯にかみ合う小口径の円形の歯車であるピニオン１９３、このピニオン１９３の中心に設けられた孔に挿通された軸部材１９４、図略のワイヤー、図略のモータなどを含む。
【００７０】
枠体１８１は、一方側の側板（図８（ａ）の下側の側板）に沿った位置に底板１８１ａを有している。この底板１８１ａの上面には、４つのラック１９２が方向Ｄ１に沿って配列されている。各ピニオン１９３は、各ラック１９２に歯合している。
【００７１】
長孔１９５は、枠体１８１の方向Ｄ２の一方側の側板と他方側の側板にそれぞれ４つずつ互いに対向する位置に形成されている。これらの長孔１９５に軸部材１９４の両端部が挿通されている。軸部材１９４は、各キャップ部材８３の底面に設けられた図略の軸受けに回転可能に支持されている。言い換えると、軸部材１９４は、前記軸受けを介して各キャップ部材８３を支持している。
【００７２】
軸部材１９４は、図略のモータによって回転可能に構成されている。このモータが駆動すると、軸部材１９４が回転してピニオン１９３がラック１９２に歯合しながら回転する。これにより、軸部材１９４に支持された各キャップ部材８３は、長孔１９５に沿って水平方向にスライド移動する。
【００７３】
各軸部材１９４は、両端部に図略のワイヤーがそれぞれ固定されており、各ワイヤーの他端が図略のモータに連結されている。すなわち、各軸部材１９４は、両端部において一対のワイヤーに吊り下げられている。前記モータが駆動すると、ワイヤーが巻き取られ又は送り出されるので、軸部材１９４に支持された各キャップ部材８３は、長孔１９５に沿って上下方向にスライド移動する。
【００７４】
また、枠体１８１は、搬送ユニット３０のフレーム３６の上部に固定されている。したがって、昇降機構４０によって搬送ユニット３０が上下方向に移動するのに伴って枠体１８１及びこれに支持されたラック１９２などの他の部材も上下方向に移動する。
【００７５】
次に、この変形例のキャップ移動機構９１の単色印字時の動作について説明する。
【００７６】
単色印字時において、制御部１３１は、ローラ移動機構６１を制御して、搬送面４７の一部を記録ヘッド２２Ｋのノズル面２２ａに近接した近接位置に配置するとともに、搬送面４７の他の一部を記録ヘッド２２Ｋ以外の他の記録ヘッド２２Ｃ、２２Ｍ、２２Ｙの各ノズル面２２ａに対して前記近接位置よりも離隔した離隔位置に配置する。
【００７７】
ついで、制御部１３１は、キャップ移動機構９１を制御して、３つの記録ヘッド２２Ｃ、２２Ｍ、２２Ｙに対応するキャップ部材８３Ｃ、８３Ｍ、８３ＹをＬ字の長孔１９５に沿って上下方向及び水平方向にスライド移動させて、記録ヘッド２２Ｃ、２２Ｍ、２２Ｙの各ノズル面２２ａに対向配置する。このとき、キャップ部材８３Ｃ、８３Ｍ、８３Ｙの上面は、ノズル面２２ａとは離隔している。
【００７８】
ついで、昇降機構４０によって搬送ユニット３０を上方に移動させて、搬送ユニット３０に固定された枠体１８１を上方に移動させる。キャップ部材８３Ｃ、８３Ｍ、８３Ｙを支持する軸部材１９４は、Ｌ字状の長孔１９５の水平方向に延びる部分（横孔部分）の方向Ｄ１側の端部付近、すなわち、図８（ｂ）の長孔１９５の左端付近に位置している。一方、キャップ部材８３Ｋを支持する軸部材１９４は、Ｌ字状の長孔１９５の上下方向に延びる部分（縦孔部分）に位置している。したがって、昇降機構４０によって枠体１８１が上方に移動すると、キャップ部材８３Ｃ、８３Ｍ、８３Ｙも共に上方に移動する。そして、キャップ部材８３Ｃ、８３Ｍ、８３Ｙの上面がノズル面２２ａに接した時点で昇降機構４０を停止させる。これにより、キャップ部材８３Ｃ、８３Ｍ、８３Ｙによる各ノズル面２２ａのキャップ動作が完了する。その後、上記した流れで用紙Ｐが搬送され、画像形成が行われる。
【００７９】
以上説明したように、第１実施形態では、カラー記録時には、複数の記録ヘッド２２が記録媒体への記録に用いられ、搬送面４７が各ノズル面２２ａに近接した前記近接位置に配置される。一方で、単色記録時には、搬送面４７の一部が記録ヘッド２２Ｋのノズル面２２ａに近接した前記近接位置に配置され、搬送面４７の他の一部は、記録ヘッド２２Ｋ以外の他の記録ヘッド２２Ｃ、２２Ｍ、２２Ｙのノズル面２２ａに対して前記近接位置よりも離隔した前記離隔位置に配置される。これにより、前記他の記録ヘッド記録ヘッド２２Ｃ、２２Ｍ、２２Ｙのノズル面２２ａと搬送面４７との間にスペースが形成されるので、このスペースにキャップ部材８３を移動させて各ノズル面２２ａに対向配置し各ノズル面２２ａを覆うことができる。したがって、前記単色記録時においては、不使用の前記他の記録ヘッド２２Ｃ、２２Ｍ、２２Ｙの各ノズル面２２ａが乾燥するのを抑制できるので、これらの記録ヘッド２２Ｃ、２２Ｍ、２２Ｙにおける吐出状態の回復動作を実行する頻度を低減してインクの消費量を抑制することができる。しかも、この構成では、前記搬送ベルト３１を支持するローラを移動させて前記搬送ベルトの前記搬送面をノズル面に対して移動させているので、高い位置精度が要求される記録ヘッドを移動させる必要がない。これにより、従来のように記録ヘッドを移動させることに伴う画質の低下が生じるのを抑制することができる。
【００８０】
また、第１実施形態では、搬送ベルト３１の搬送面４７の移動に合わせて受取機構７の位置調整がされるので、単色記録時及びカラー記録時の両方において、記録後の記録媒体を搬送ベルト３１から受取機構７へ円滑に受け渡すことができる。
【００８１】
＜第２実施形態＞
図９（ａ）は、本発明の第２実施形態にかかるインクジェット記録装置１の搬送ユニット３０、記録ヘッド２２及びキャップ部材８３を示す構成図であり、図９（ｂ）は、単色記録時の状態を示す構成図である。
【００８２】
図９（ａ）に示すように、第２実施形態の記録装置１は、ローラ７８及びローラ７９をさらに備えている点、及びローラ７２，７３，７７，７８，７９がローラ移動機構によって上下方向に移動可能な移動ローラである点が第１実施形態と異なっている。なお、ここでは第１実施形態と同じ構成には同じ符号を付し、その詳細な説明を省略する。
【００８３】
移動ローラ７２，７３，７７，７８，７９は、それぞれ図５に示すようなローラ移動機構によって独立して移動可能である。したがって、ブラック、シアン、マゼンダ、及びイエローのうちのいずれかの記録ヘッド２２のみを使う単色記録が可能である。また、これらの４つのうちの２つ又は３つの記録ヘッド２２のみを使うカラー記録も可能である。
【００８４】
例えば、ブラックの記録ヘッド２２Ｋのみを使う単色記録時には、制御部１３１は、対応するローラ移動機構６１を制御して、図９（ａ）に示すカラー記録時の状態からローラ７３，７８，７９を下方に移動させる一方で、ローラ７２，７７は移動させない。これにより、搬送ベルト３１の搬送面４７は、記録ヘッド２２Ｋのノズル面２２ａに対しては近接位置に維持され、他の記録ヘッド２２Ｃ、２２Ｍ、２２Ｙのノズル面２２ａに対しては離隔位置に配置される。記録ヘッド２２Ｃ、２２Ｍ、２２Ｙのノズル面２２ａは、対応するキャップ部材８３により密閉される。この状態でブラックの単色記録が実行される。
【００８５】
また、シアンの記録ヘッド２２Ｃのみを使う単色記録時には、図９（ｂ）に示すように、制御部１３１は、対応するローラ移動機構６１を制御して、図９（ａ）に示すカラー記録時の状態からローラ７２，７９，７３を下方に移動させる一方で、ローラ７７，７８は移動させない。これにより、搬送ベルト３１の搬送面４７は、記録ヘッド２２Ｃのノズル面２２ａに対しては近接位置に維持され、他の記録ヘッド２２Ｋ、２２Ｍ、２２Ｙのノズル面２２ａに対しては離隔位置に配置される。記録ヘッド２２Ｋ、２２Ｍ、２２Ｙのノズル面２２ａは、対応するキャップ部材８３により密閉される。この状態でシアンの単色記録が実行される。
【００８６】
同様に、マゼンダの記録ヘッド２２Ｍのみを使う単色記録時には、図９（ａ）に示すカラー記録時の状態からローラ７２，７３，７７を下方に移動させ、ローラ７８，７９は移動させず、また、イエローの記録ヘッド２２Ｙのみを使う単色記録時には、図９（ａ）に示すカラー記録時の状態からローラ７２，７７，７８を下方に移動させ、ローラ７３，７９は移動させないで、上記と同様に単色記録が実行される。
【００８７】
また、４つのうちの２つ又は３つの記録ヘッド２２のみを使うカラー記録は、次のように実行される。例えば、ブラックの記録ヘッド２２Ｋとシアンの記録ヘッド２２Ｃとを使うカラー記録時には、ローラ７３，７９を下方に移動させ、ローラ７２，７７，７８は移動させないでカラー記録が実行される。また、シアンの記録ヘッド２２Ｃとマゼンダの記録ヘッド２２Ｍとイエローの記録ヘッドＹとを使うカラー記録時には、ローラ７２を下方に移動させ、ローラ７３，７７，７８，７９は移動させないでカラー記録が実行される。
【００８８】
以上説明したように、第２実施形態では、第１実施形態と同様の上記作用効果が得られることに加え、さらに各色の単色記録が可能である。
【００８９】
なお、本発明は、前記実施形態に限られるものではなく、その趣旨を逸脱しない範囲で種々変更、改良等が可能である。例えば、前記実施形態では、４色フルカラーのインクジェット記録装置を例に挙げて説明したが、本発明は、５色以上のインクを用いたインクジェット記録装置に適用することもできる。
【符号の説明】
【００９０】
１ インクジェット記録装置
２ ケーシング
５  用紙搬送路
７  受取機構
７ａ  カム
２０ 記録部
２２ 記録ヘッド
２２ａ ノズル面
３０  搬送ユニット
３１  搬送ベルト
３５  用紙保持機構
４０  昇降機構
６１  ローラ移動機構
７１〜７９  ローラ
８３  キャップ部材
９１  キャップ移動機構
１３１  制御部
【図１】
2011136468.tif 000003
【図２】
2011136468.tif 000004
【図３】
2011136468.tif 000005
【図４】
2011136468.tif 000006
【図５】
2011136468.tif 000007
【図６】
2011136468.tif 000008
【図７】
2011136468.tif 000009
【図８】
2011136468.tif 000010
【図９】
2011136468.tif 000011